(57)【要約】【課題】給紙部から搬送される裏紙を画像形成前にカール補正することである。【解決手段】用紙を供給する給紙カセット４と、画像データに基づいて、給紙カセット４から搬送される用紙に画像を形成する画像形成部４０と、給紙カセット４から搬送される用紙の裏面の画像を検知する検知部８０と、画像形成部４０と給紙カセット４との間の搬送経路を搬送される用紙をカール補正するカール補正部９０と、検知部８０による検知結果に応じて、前記搬送される用紙が裏紙であるか否かを判別し、裏紙である場合に、当該裏紙を９０カール補正部９０にカール補正させる制御部と、を備える。【選択図】図１
2010001098.tif 000002
【特許請求の範囲】
【請求項１】
用紙を供給する給紙部と、
画像データに基づいて、前記給紙部から搬送される用紙に画像を形成する画像形成部と、
前記給紙部から搬送されている用紙の裏面の画像を検知する検知部と、
前記画像形成部と前記給紙部との間の搬送経路を搬送される用紙をカール補正するカール補正部と、
前記検知部による検知結果に応じて、前記搬送されている用紙が裏紙であるか否かを判別し、裏紙である場合に、当該裏紙を前記カール補正部にカール補正させる制御部と、を備える画像形成装置。
【請求項２】
用紙を供給する給紙部と、
画像データに基づいて、前記給紙部から搬送される用紙に画像を形成する画像形成部と、
前記画像形成部と前記給紙部との間の搬送経路を搬送される用紙をカール補正するカール補正部と、
前記給紙部へ用紙として裏紙がセットされている旨の設定情報の操作入力を受け付ける操作部と、
前記操作部に入力された前記設定情報に応じて、前記給紙部から搬送される用紙が裏紙であるか否かを判別し、裏紙である場合に、前記給紙部から搬送される裏紙を前記カール補正部にカール補正させる制御部と、を備える画像形成装置。
【請求項３】
前記画像形成部に用紙を搬送するレジストローラを備え、
前記カール補正部は、前記レジストローラと前記給紙部との間の搬送経路を搬送される用紙をカール補正する請求項１又は２に記載の画像形成装置。
【請求項４】
前記カール補正部は、第１のローラ及び第２のローラを備え、前記第１のローラと前記第２のローラとが圧接された状態と、前記第１のローラと前記第２のローラとが離間された状態と、が切り替え可能である請求項１から３のいずれか一項に記載の画像形成装置。
【発明の詳細な説明】
【技術分野】
【０００１】
本発明は、画像形成装置に関する。
【背景技術】
【０００２】
従来、電子写真方式の複写機等の画像形成装置が知られている。この画像形成装置において、用紙へのトナー像の画像形成後に加熱及び加圧により定着を行うため、定着後の用紙がカールする現象が知られている。
【０００３】
このため、用紙のカールの補正機能を有する画像形成装置が考えられている。例えば、画像形成するために入力された画像情報から用紙へ形成する画像量を取得し、当該画像量に応じてカール補正方向を決定し、２つのカール補正部により定着処理後の用紙を前記決定したカール補正方向にカール補正し、その用紙を後処理装置に排出する画像形成装置が考えられている（例えば、特許文献１参照）。同じ定着器により定着しても、用紙の画像量に応じて、カールの方向は変わるためである。カール補正装置は、半径の異なるローラ対から構成され、そのローラ対のニップ部分を用紙が通過することにより、半径の小さいローラ方向にカールをかけることで用紙をカール補正する。
【０００４】
さらに、定着処理後の用紙の搬送方向の長さを光センサにより検知し、その検知した長さに応じて、定着処理後の用紙のカールをカール補正ローラにより補正して排出する画像形成装置が考えられている（例えば、特許文献２参照）。
【特許文献１】特開２０００−２２９７５８号公報
【特許文献２】特開２００２−３２６７５４号公報
【発明の開示】
【発明が解決しようとする課題】
【０００５】
近年、画像形成装置において、環境問題を考慮し資源を有効に活用するために、片面に画像が形成されて排出された用紙（裏紙）の白紙面（表面）に画像を形成させる機会が増えている。裏紙は開封紙と異なり、一度プリントされているので、定着時のカールの癖が用紙に残っていることが多い。このような裏紙を給紙カセット又は手差トレイにセットし、その給紙カセット又は手差トレイから画像形成部に搬送する場合に、カールにより用紙が搬送経路のガイドやローラ軸に引っかかり用紙搬送不良（ジャム：ＪＡＭ）を起こすおそれがあった。
【０００６】
また、カールを有する用紙の先端がレジストローラに入らないために、レジストローラの機能が損なわれ、給紙・搬送におけるスキュー補正が十分に行われないおそれがあった。さらに、画像形成部においてトナー像を転写するタイミングがずれることにより、プリントずれが発生するおそれがあった。
【０００７】
しかし、従来のカール補正機能を有する画像形成装置は、カール補正装置が定着器の下流に設けられるので、排紙後の用紙（プリント物）の積載をよくすることができるが、裏紙が画像形成部に搬送される前にカール補正を行うことができなかった。
【０００８】
このため、裏紙のカールに起因するジャム等によりプリント物の生産性、質が低下するおそれがあった。これを解決するため、裏紙を給紙カセット又は手差トレイにセットする際に、ユーザが裏紙のカールを手で矯正する方法もあるが、ユーザの作業負担が大きかった。
【０００９】
本発明の課題は、給紙部から搬送される裏紙を画像形成前にカール補正することである。
【課題を解決するための手段】
【００１０】
上記課題を解決するため、請求項１に記載の発明の画像形成装置は、
用紙を供給する給紙部と、
画像データに基づいて、前記給紙部から搬送される用紙に画像を形成する画像形成部と、
前記給紙部から搬送されている用紙の裏面の画像を検知する検知部と、
前記画像形成部と前記給紙部との間の搬送経路を搬送される用紙をカール補正するカール補正部と、
前記検知部による検知結果に応じて、前記搬送されている用紙が裏紙であるか否かを判別し、裏紙である場合に、当該裏紙を前記カール補正部にカール補正させる制御部と、を備える。
【００１１】
請求項２に記載の発明の画像形成装置は、
用紙を供給する給紙部と、
画像データに基づいて、前記給紙部から搬送される用紙に画像を形成する画像形成部と、
前記画像形成部と前記給紙部との間の搬送経路を搬送される用紙をカール補正するカール補正部と、
前記給紙部へ用紙として裏紙がセットされている旨の設定情報の操作入力を受け付ける操作部と、
前記操作部に入力された前記設定情報に応じて、前記給紙部から搬送される用紙が裏紙であるか否かを判別し、裏紙である場合に、前記給紙部から搬送される裏紙を前記カール補正部にカール補正させる制御部と、を備える。
【００１２】
請求項３に記載の発明は、請求項１又は２に記載の画像形成装置において、
前記画像形成部に用紙を搬送するレジストローラを備え、
前記カール補正部は、前記レジストローラと前記給紙部との間の搬送経路を搬送される用紙をカール補正する。
【００１３】
請求項４に記載の発明は、請求項１から３のいずれか一項に記載の画像形成装置において、
前記カール補正部は、第１のローラ及び第２のローラを備え、前記第１のローラと前記第２のローラとが圧接された状態と、前記第１のローラと前記第２のローラとが離間された状態と、が切り替え可能である。
【発明の効果】
【００１４】
請求項１に記載の発明によれば、検知部により検知された用紙の裏面の画像に応じて、搬送されている用紙が裏紙か否かを画像形成前に判別でき、給紙部から搬送される裏紙を画像形成前にカール補正できる。
【００１５】
請求項２に記載の発明によれば、操作部に入力された給紙部に裏紙がセットされている旨の設定情報に応じて、搬送される用紙が裏紙か否かを画像形成前に判別でき、給紙部から搬送される裏紙を画像形成前にカール補正できる。
【００１６】
請求項３に記載の発明によれば、レジストローラにおけるスキュー補正のずれ及びレジストローラの用紙ずれに基づく画像形成部のプリントずれ並びにジャムを防ぐことができる。
【００１７】
請求項４に記載の発明によれば、カール補正部の構成を簡単にできるとともに、カール補正する場合の第１のローラ及び第２のローラを圧接した状態と、カール補正しない場合の同じく離間した状態とを自在に切り替えることができる。
【発明を実施するための最良の形態】
【００１８】
添付図面を参照して本発明に係る好適な第１、第２の実施の形態を順に詳細に説明する。なお、本発明は、図示例に限定されるものではない。また、この発明の実施の形態は発明の最も好ましい形態を表すものであり、発明の用途や用語はこれに限定するものではない。
【００１９】
（第１の実施の形態）
図１〜図６を参照して、本発明に係る第１の実施の形態を説明する。先ず、図１を参照して、本実施の形態の装置構成を説明する。図１に、本実施の形態の画像形成装置１の概略的な構成を示す。
【００２０】
画像形成装置１は、画像形成するために搬送中の用紙の裏面の画像を検知し、その検知結果に応じて、用紙が裏紙である場合に、カール補正を行って画像形成を行い、用紙が裏紙でない場合に、カール補正を行わずに画像形成を行う画像形成装置である。裏紙は、開封紙（新紙）と比べ、カールを有する可能性が高いからである。また、画像形成装置１は、カラーページプリンタであり、特にタンデム型のカラーページプリンタである。
【００２１】
図１に示すように、画像形成装置１は、筐体２、排紙トレイ３、給紙部としての給紙カセット４、給紙部としての手差トレイ５、画像形成部４０、搬送部６０、検知部８０、カール補正部９０、等を備えて構成される。画像形成部４０は、画像形成本体部４０ａ、定着部４０ｂを有する。
【００２２】
搬送部６０は、給紙ローラ６１、搬送ローラ６２Ａ，６２Ｂ、６３Ａ，６３Ｂ、レジストローラ６５Ａ，６５Ｂ、圧接ローラ６６、搬送ローラ６７Ａ，６７Ｂを有し、これらの各ローラがこの順に、給紙カセット４から排紙トレイ３まで、用紙の搬送経路６０ａ上に設けられている。また、搬送部６０は、搬送ローラ６８Ａ，６８Ｂ、６９Ａ，６９Ｂ、７０Ａ，７０Ｂを有し、これらの各ローラがこの順に、反転経路６０ｂ上に設けられている。また、搬送部６０は、給紙ローラ６４Ａ，６４Ｂを有する。
【００２３】
搬送ローラ６２Ａ，６２Ｂは、互いに圧接されてニップ部を有するローラ対であり、そのニップ部を用紙が通過するように回転される。搬送ローラ６３Ａ，６３Ｂと、レジストローラ６５Ａ，６５Ｂと、搬送ローラ６３Ａ，６３Ｂと、搬送ローラ６７Ａ，６７Ｂと、搬送ローラ６８Ａ，６８Ｂと、搬送ローラ６９Ａ，６９Ｂと、搬送ローラ７０Ａ，７０Ｂと、給紙ローラ６４Ａ，６４Ｂとは、それぞれ、搬送ローラ６２Ａ，６２Ｂと同様の構成である。
【００２４】
給紙カセット４には、用紙Ｐが収容され、その用紙Ｐを供給する。用紙Ｐは、開封紙、又は片面に画像形成（プリント）された裏紙である。用紙Ｐが裏紙の場合には、給紙カセット４に裏紙の白紙面が上になるようにセットされている。というのは、裏紙の白紙面に画像形成をするためである。給紙カセット４にセットされた用紙Ｐは、給紙ローラ６１の回転駆動により一枚ずつ最上部から取り出されて搬送ローラ６２Ａ，６２Ｂに搬送される。その用紙Ｐは、搬送ローラ６３Ａ，６３Ｂを介して、レジストローラ６５Ａ，６５Ｂに搬送される。同様に、手差トレイ５には、用紙Ｐがセットされ、その用紙Ｐが、給紙ローラ６４Ａ，６４Ｂの回転駆動により一枚ずつ最上部から取り出されてレジストローラ６５Ａ，６５Ｂに搬送される。レジストローラ６５Ａ，６５Ｂは、回転駆動され、搬送ローラ６３Ａ，６３Ｂから搬送された用紙Ｐを画像形成本体部４０ａに搬送するとともにその搬送のタイミングを調整し、また、用紙Ｐのスキュー補正を行う。
【００２５】
画像形成本体部４０ａは、イエロー画像形成部４０Ｙ、マゼンタ画像形成部４０Ｍ、シアン画像形成部４０Ｃ、ブラック画像形成部４０Ｋ、中間転写ベルト４７、二次転写駆動ローラ４８、従動ローラ４９、クリーニング部５０を有する。定着部４０ｂは、定着ローラ５１、圧接ローラ５２を備えて構成される。
【００２６】
イエロー画像形成部４０Ｙは、感光体ドラム４１、感光体ドラム４１の周囲に順に配置された帯電部４２、露光部４３、現像部４４、一次転写ローラ４５、クリーニング部４６を有し、イエロー（Ｙ）の画像を中間転写ベルト４７上に形成する。
【００２７】
具体的には、イエロー画像形成部４０Ｙにおいて、帯電部４２により帯電された感光体ドラム４１に、露光部４３からイエローの画像データに応じた光が照射されて、静電潜像が形成される。そして、現像部４４により、静電潜像が形成された感光体ドラム４１の表面に帯電したイエローのトナーが付着されて静電潜像が現像されてトナー像が形成される。感光体ドラム４１及び一次転写ローラ４５が回転され、感光体ドラム４１上に形成されたイエローのトナー像は、一次転写ローラ４５が配置された転写位置へ中間転写ベルト４７上に一次転写される。中間転写ベルト４７にイエローのトナー像が一次転写された後、クリーニング部４６により、感光体ドラム４１の表面の残留電荷や残留トナー等が除去される。
【００２８】
マゼンタ画像形成部４０Ｍは、イエロー画像形成部４０Ｙと同様の装置構成を備え、マゼンタ（Ｍ）の画像を中間転写ベルト４７上に形成する。同様に、シアン画像形成部４０Ｃは、シアン（Ｃ）の画像を中間転写ベルト４７上に形成する。同様に、ブラック画像形成部４０Ｋは、ブラック（Ｋ）の画像を中間転写ベルト４７上に形成する。
【００２９】
中間転写ベルト４７は、無端状のベルトである。二次転写駆動ローラ４８は、筐体２内の搬送経路６０ａ側に配置され、回転駆動される。従動ローラ４９は、二次転写駆動ローラ４８と水平の位置に配置される。ＹＭＣＫの各色の一次転写ローラ４５は、従動ローラ４９と二次転写駆動ローラ４８との間に順に配列される。中間転写ベルト４７は、二次転写駆動ローラ４８、一次転写ローラ４５、従動ローラ４９に掛けられ、二次転写駆動ローラ４８の回転駆動により周動する。従動ローラ４９、一次転写ローラ４５は、中間転写ベルト４７の周動に応じて回転する。
【００３０】
圧接ローラ６６は、中間転写ベルト４７を介して二次転写駆動ローラ４８に圧接される。レジストローラ６５Ａ，６５Ｂから搬送された用紙Ｐは、二次転写駆動ローラ４８及び圧接ローラ６６の間を通過し、画像形成部４０Ｙ，４０Ｍ，４０Ｃ，４０Ｋにより形成された中間転写ベルト４７上のカラーのトナー画像が二次転写され、定着部４０ｂに搬送される。クリーニング部５０は、中間転写ベルト４７上の残留トナー等を除去する。
【００３１】
定着ローラ５１は、回転可能であり、また熱源を有し、用紙Ｐを加熱する。圧接ローラ５２は、定着ローラ５１に圧接されてニップ部を形成する。定着部４０ｂは、搬送された用紙Ｐがニップ部を通過することにより、用紙Ｐに二次転写されたトナー像を加熱及び加圧により定着して、搬送ローラ６７Ａ，６７Ｂに搬送する。
【００３２】
搬送ローラ６７Ａ，６７Ｂは、搬送ローラ６７Ｂの回転駆動により、定着部４０ｂから搬送された用紙Ｐを排紙トレイ３に排出する。また、両面画像形成において、用紙Ｐの第１面が画像形成された後、搬送ローラ６７Ａ，６７Ｂは、搬送ローラ６７Ｂの回転駆動により、用紙Ｐを排紙トレイ３側に途中まで排出した後、搬送ローラ６７Ｂの逆方向の回転駆動により、その用紙Ｐを反転経路６０ｂの搬送ローラ６８Ａ，６８Ｂに搬送する。その搬送された用紙Ｐは、反転されており、反転経路６０ｂの搬送ローラ６８Ａ，６８Ｂ、搬送ローラ６９Ａ，６９Ｂ、７０Ａ，７０Ｂにより、順に搬送されて、搬送経路６０ａのレジストローラ６５Ａ，６５Ｂに搬送される。そして、その用紙Ｐの第２面（白紙面）が、画像形成部４０により画像形成される。
【００３３】
検知部８０は、搬送経路６０ａ上で、搬送ローラ６２Ａ，６２Ｂと搬送ローラ６３Ａ，６３Ｂとの間に設けられるラインセンサ等の検知部であり、搬送される用紙Ｐの画像形成面の裏面の画像を読み取り検知する。
【００３４】
カール補正部９０は、搬送経路６０ａ上で、検知部８０と搬送ローラ６３Ａ，６３Ｂとの間の位置に設けられ、その位置で搬送される用紙Ｐのカールを補正する。カール補正部９０は、用紙Ｐが裏紙である場合にカール補正を行い、用紙Ｐが裏紙でない（開封紙である）場合にカール補正を行わない。
【００３５】
カール補正部９０が設けられる位置は、図１の例に限定されるものではなく、搬送経路６０ａにおいて、給紙部（給紙カセット４又は手差トレイ５）と画像形成部４０との間の位置（搬送経路６０ａの搬送方向において、給紙部の上流で且つ画像形成部４０の下流の位置）であればよく、給紙部とレジストローラ６５Ａ，６５Ｂとの間の位置がさらに好ましい。というのは、用紙Ｐにカールがある場合に、レジストローラ６５Ａ，６５Ｂのスキュー補正のずれ、レジストローラ６５Ａ，６５Ｂの用紙ずれに基づく画像形成部４０のプリントずれ及びジャムが発生するおそれがあるためである。
【００３６】
次いで、図２及び図３を参照して、カール補正部９０を詳細に説明する。図２に、通常時のカール補正部９０の構成を示す。図３に、カール補正時のカール補正部９０の構成を示す。
【００３７】
図２に示すように、カール補正部９０は、第１のローラとしてのゴムローラ９１、第２のローラとしての金属ローラ９２、カール補正用カム９３、バネ部９４を備える。ゴムローラ９１は、ゴム部９１ａ、軸部９１ｂを有する。ゴム部９１ａは、ゴム製で変形可能であり、軸部９１ｂの周囲に設けられる。ゴム部９１ａは、ゴム以外の弾性体等により構成されてもよい。軸部９１ｂは、ゴムローラ９１の軸であるとともに、軸方向の端部に露出している部分を有する。
【００３８】
金属ローラ９２は、通常時にゴムローラ９１と離間される位置に設けられたローラであり、カール補正用カム９３の回転により、ゴムローラ９１方向に移動可能である。金属部９２ａは、金属製で変形しなく、軸部９２ｂの周囲に設けられる。金属部９２ａの金属材料は、ＳＵＭ（硫黄快削鋼）、ＳＵＳ（ステンレス鋼）等の鋼である。金属部９２ａは、金属以外にも、ＰＯＭ（ポリアセタール）等の樹脂等を材料としてもよい。軸部９２ｂは、金属ローラ９２の軸である。
【００３９】
カール補正用カム９３は、回転駆動され、その回転角度に応じて、回転軸からバネ部９４までの距離が変化する曲線を有する機械要素である。バネ部９４は、金属ローラ９２の軸部９２ｂとカール補正用カム９３との間に圧接され、カール補正用カム９３の回転により与えられた圧力を金属ローラ９２に伝える。
【００４０】
通常時には、カール補正用カム９３が、バネ部９４までの距離を最小にするよう回転駆動され、金属ローラ９２（軸部９２ｂ）にかける圧力が下げられ、ゴムローラ９１と金属ローラ９２とが離間される。このため、搬送された用紙Ｐは、ゴムローラ９１と金属ローラ９２との離間部を通過して、カール補正がなされない。
【００４１】
図３に示すように、カール補正時には、カール補正用カム９３が、バネ部９４までの距離を最大にするよう回転駆動され、金属ローラ９２にかける圧力が上げられ、金属ローラ９２がゴムローラ９１に押圧される。すると、ゴムローラ９１と金属ローラ９２との間に凹形状のニップ部Ｎが形成される。このため、搬送された用紙Ｐは、ゴムローラ９１と金属ローラ９２とのニップ部Ｎを通過して、カール補正がなされる。
【００４２】
次いで、検知部８０を詳細に説明する。図４に、検知部８０の構成を示す。
【００４３】
図４に示すように、検知部８０は、複数の発光素子８１及び受光素子８２の対を有するラインセンサである。発光素子８１は、搬送される用紙Ｐに光を照射する。受光素子８２は、発光素子８１により照射され用紙Ｐで反射された反射光を、用紙Ｐの画像を示す電気信号に変換して後述する制御部１１に出力する。
【００４４】
次いで、画像形成装置１の回路構成を説明する。図５に、画像形成装置１の回路構成を示す。
【００４５】
図５に示すように、画像形成装置１は、制御部１１、操作部２０、表示部３０、画像メモリ１２、ＲＯＭ（Read Only Memory）１３、通信部１４、画像形成部４０、搬送部６０、検知部８０、カール補正部９０等により構成され、各部がバス１５を介して接続されている。
【００４６】
制御部１１は、画像形成装置１の各部を中央制御する。制御部１１は、ＣＰＵ（Central Processing Unit）、ＲＡＭ（Random Access Memory）を備える。制御部１１において、ＣＰＵがＲＯＭ１３に記憶された各種プログラムをＲＡＭに展開し、ＣＰＵがＲＡＭに展開されたプログラムにより各種処理を実行する。
【００４７】
制御部１１は、通常の画像形成時には、通信部１４を介して外部機器（図示略）から入力された画像データを受信し、搬送部６０に給紙カセット４から用紙を給紙して搬送させ、受信した画像データに基づいて、画像形成部４０に用紙へ画像形成させる。また、制御部１１は、ＲＯＭ１３に記憶された第１のカール補正プログラムにより、後述する第１のカール補正処理を実行する。
【００４８】
操作部２０は、各種キーを有するキー操作部を備え、ユーザによるキー操作部への各種操作入力を受付け、その操作入力の操作信号を制御部１１に出力する。表示部３０は、ＬＣＤ（Liquid Crystal Display）等の表示パネルを備え、制御部１１から入力される表示信号に応じて各種表示を行う。
【００４９】
画像メモリ１２は、外部機器から受信した画像データ等の情報を一時記憶する記憶部である。ＲＯＭ１３は、情報読み出し専用の記憶部である。ＲＯＭ１３には、第１のカール補正プログラム等の各種プログラム、各種データが記憶されている。
【００５０】
通信部１４は、ＬＡＮ（Local Area Network）等の通信回線を介して、ＰＣ（Personal Computer）等の外部機器（図示略）と通信接続され、制御部１１の指示に従い、外部機器との情報の通信を行う。
【００５１】
画像形成部４０は、図１で説明したように、画像形成本体部４０ａ、定着部４０ｂを備え、制御部１１の指示に従い、搬送部６０により搬送されている用紙に画像形成（用紙へのトナー像転写及びその定着）を行う。搬送部６０は、図１で説明したように、給紙ローラ６１等の各種ローラ等を備え、制御部１１の指示に従い、給紙カセット４又は手差トレイ５から用紙を給紙して、搬送経路６０ａ、反転経路６０ｂ上を搬送し、排紙トレイ３に排出する。
【００５２】
検知部８０は、図１で説明したように、発光素子８１及び受光素子８２を備え、搬送部６０により搬送される用紙の裏面の画像を検知してその画像信号を制御部１１に出力する。カール補正部９０は、図１で説明したように、ゴムローラ９１、金属ローラ９２等を備え、制御部１１の指示に従い、搬送部６０により搬送されている用紙のカール補正を行う。
【００５３】
次に、図６を参照して、画像形成装置１の動作として、カール補正処理を説明する。図６に、第１のカール補正処理の流れを示す。
【００５４】
第１のカール補正処理は、給紙カセット４から給紙された画像形成前の用紙が裏紙であるか否かを判別し、裏紙である場合に、その裏紙にカール補正を行う処理である。例えば、外部機器から給紙カセット４内の用紙への画像形成が指示された後、給紙カセット４から取り出されて搬送される用紙Ｐの先端から一定の長さの領域が検知部８０により画像読取されたことをトリガとして、制御部１１により第１のカール補正処理が実行される。
【００５５】
先ず、検知部８０により一定領域が検知された用紙の画像信号に基づいて、その搬送中の用紙が裏紙であるか否かが判別される（ステップＳ１）。例えば、検知部８０により検知された用紙の一定領域の画像信号に、１文字以上のプリント部分がある場合に、その用紙が裏紙であると判別される。このため、用紙が開封紙であって、少しの汚れや傷がある場合には裏紙であると判別されない。
【００５６】
搬送中の用紙が裏紙である場合（ステップＳ１；ＹＥＳ）、カール補正部９０がカール補正状態に設定され、搬送中の用紙（裏紙）がカール補正され（ステップＳ２）、第１のカール補正処理が終了する。具体的には、ステップＳ２において、図３に示すように、カール補正部９０は、カール補正用カム９３が回転駆動され、ゴムローラ９１と金属ローラ９２との間に凹状のニップ部が形成される状態にされる。カール補正部９０によりカール補正された用紙（裏紙）は、制御部１１による制御により、レジストローラ６５Ａ，６５Ｂに搬送されて画像形成のタイミングが調整されて、画像形成部４０により画像形成されて排紙トレイ３に排出される。このため、レジストローラ６５Ａ，６５Ｂにおけるスキュー補正のずれ、画像形成部４０におけるプリントずれ、ジャムの発生を防ぐことができる。
【００５７】
搬送中の用紙が裏紙でない場合（ステップＳ１；ＮＯ）、カール補正部９０がカール補正しない状態に設定され、搬送中の用紙（開封紙）がカール補正されること無くカール補正部９０を通過され（ステップＳ３）、第１のカール補正処理が終了する。具体的には、ステップＳ３において、図２に示すように、カール補正部９０は、カール補正用カム９３が回転駆動され、ゴムローラ９１と金属ローラ９２との間が離間される状態にされる。カール補正部９０によりカール補正されなかった用紙（開封紙）は、制御部１１による制御により、レジストローラ６５Ａ，６５Ｂに搬送されて画像形成のタイミングが調整されて、画像形成部４０により画像形成されて排紙トレイ３に排出され、又は両面画像形成される。用紙にはカールがないため、レジストローラ６５Ａ，６５Ｂにおけるスキュー補正のずれ、画像形成部４０におけるプリントずれ、ジャムが発生しない。
【００５８】
以上、本実施の形態によれば、検知部８０が給紙カセット４から搬送されている用紙の裏面の画像を検知し、カール補正部９０が、レジストローラ６５Ａ，６５Ｂと給紙カセット４との間の搬送経路上に設けられ、制御部１１が、検知部８０による検知結果に応じて、搬送されている用紙が裏紙であるか否かを判別し、裏紙である場合に、当該裏紙をカール補正部９０にカール補正させ、裏紙でない場合に、当該裏紙をカール補正部９０にカール補正させずに通過させる。このため、給紙カセット４から搬送される裏紙を画像形成前にカール補正でき、レジストローラ６５Ａ，６５Ｂにおけるスキュー補正のずれ、画像形成部４０におけるプリントずれ、ジャムの発生を防ぐことができる。
【００５９】
また、カール補正部９０が、ゴムローラ９１及び金属ローラ９２のローラ対を有し、カール補正用カム９３及びバネ部９４により、ゴムローラ９１及び金属ローラ９２が圧接又は離間される。このため、カール補正部９０の構成を簡単にできるとともに、カール補正する場合のゴムローラ９１及び金属ローラ９２を圧接した状態と、カール補正しない場合の同じく離間した状態とを自在に切り替えることができる。
【００６０】
（第２の実施の形態）
図７〜図１０を参照して、本発明に係る第２の実施の形態を説明する。また、本実施の形態で、上記第１の実施の形態と同じ装置構成部分については、同じ符号を付してその説明を省略し、主として異なる部分を説明する。
【００６１】
先ず、図７及び図８を参照して、本実施の形態の装置構成を説明する。図７に、本実施の形態の画像形成装置１Ａの概略構成を示す。
【００６２】
画像形成装置１Ａは、ユーザによる操作入力により設定される給紙カセット４内の用紙として裏紙がセットされているか否かの設定情報に応じて、用紙が裏紙である場合に、カール補正を行って画像形成を行い、用紙が裏紙でない場合に、カール補正を行わずに画像形成を行う画像形成装置である。
【００６３】
図７に示すように、画像形成装置１Ａは、画像形成装置１と同様の構成要素を有するが、検知部８０を有しない。
【００６４】
次いで、画像形成装置１の回路構成を説明する。図８に、画像形成装置１Ａの回路構成を示す。図８に示すように、画像形成装置１Ａは、画像形成装置１において、ＲＯＭ１３をＲＯＭ１３Ａに代え、さらにフラッシュメモリ１６を追加した構成である。
【００６５】
ＲＯＭ１３Ａには、設定プログラム及び第２のカール補正プログラムが記憶されている。フラッシュメモリ１６は、データを読み出し及び書き込み可能な不揮発性の記憶部である。
【００６６】
次に、図９及び図１０を参照して、画像形成装置１Ａの動作を説明する。図９に、設定処理の流れを示す。図１０に、第２のカール補正処理の流れを示す。
【００６７】
制御部１１は、ＲＯＭ１３Ａに記憶された設定プログラムにより、設定処理を実行する。設定処理は、ユーザの操作入力に応じて、給紙カセット４に裏紙をセットするか否かの設定を行う処理である。例えば、操作部２０に設定処理の実行指示が入力されたことをトリガとして、制御部１１により設定処理が実行される。
【００６８】
図９に示すように、先ず、操作部２０により、ユーザからの給紙カセット４に裏紙がセットされているか否かの設定情報の操作入力が受け付けられる（ステップＳ１１）。ユーザは、給紙カセット４に裏紙がセットされている又は新たにセットした場合に、裏紙がセットされている旨の設定情報を操作部２０に入力し、給紙カセット４に開封紙がセットされている又は新たにセットした場合に、裏紙がセットされていない旨の設定情報を操作部２０に入力する。そして、ステップＳ１１において入力された設定情報がフラッシュメモリ１６に記憶され（ステップＳ１２）、設定処理が終了する。
【００６９】
設定処理が実行された後、制御部１１は、ＲＯＭ１３Ａに記憶された第２のカール補正プログラムにより、第２のカール補正処理を実行する。第２のカール補正処理は、フラッシュメモリ１６に記憶された設定情報に基づいて、給紙カセット４から給紙された用紙が裏紙であるか否かを判別し、裏紙である場合に、カール補正設定を行う処理である。例えば、外部機器から給紙カセット４内の用紙への画像形成が指示されたことをトリガとして、制御部１１により第２のカール補正処理が実行される。
【００７０】
図１０に示すように、先ず、フラッシュメモリ１６に記憶されている設定情報が読み出され、その設定情報に応じて、給紙カセット４内の用紙として裏紙がセットされているか否かが判別される（ステップＳ２１）。
【００７１】
給紙カセット４内に裏紙がセットされている場合（ステップＳ２１；ＹＥＳ）、カール補正部９０がカール補正状態に設定され（ステップＳ２２）、第２のカール補正処理が終了する。具体的には、ステップＳ２２において、図３に示すように、カール補正部９０は、カール補正用カム９３が回転駆動され、ゴムローラ９１と金属ローラ９２との間に凹状のニップ部が形成される状態にされる。そして、制御部１１による制御により、画像形成指示された用紙（裏紙）は、搬送部６０により一枚ずつ搬送され、カール補正部９０によりカール補正され、レジストローラ６５Ａ，６５Ｂに搬送されて画像形成のタイミングが調整されて、画像形成部４０により画像形成されて排紙トレイ３に排出される。このため、レジストローラ６５Ａ，６５Ｂにおけるスキュー補正のずれ、画像形成部４０におけるプリントずれ、ジャムの発生を防ぐことができる。
【００７２】
給紙カセット４内の用紙が裏紙に設定されていない場合（ステップＳ２１；ＮＯ）、カール補正部９０がカール補正しない状態に設定され、搬送中の用紙（開封紙）がカール補正されること無くカール補正部９０を通過され（ステップＳ２３）、第２のカール補正処理が終了する。具体的には、ステップＳ２３において、図２に示すように、カール補正部９０は、カール補正用カム９３が回転駆動され、ゴムローラ９１と金属ローラ９２との間が離間される状態にされる。そして、制御部１１による制御により、画像形成指示された用紙（開封紙）は、搬送部６０により一枚ずつ搬送され、カール補正部９０によりカール補正されず、レジストローラ６５Ａ，６５Ｂに搬送されて画像形成のタイミングが調整されて、画像形成部４０により画像形成されて排紙トレイ３に排出され、又は両面画像形成される。用紙にはカールがないため、レジストローラ６５Ａ，６５Ｂにおけるスキュー補正のずれ、画像形成部４０におけるプリントずれ、ジャムが発生しない。
【００７３】
以上、本実施の形態によれば、カール補正部９０が、レジストローラ６５Ａ，６５Ｂと給紙カセット４との間の搬送経路上に設けられ、操作部２０に給紙カセット４に裏紙がセットされているか否かの設定情報が入力され、制御部１１が、その設定情報に応じて、給紙カセット４から搬送される用紙が裏紙であるか否かを判別し、裏紙である場合に、当該裏紙をカール補正部９０にカール補正させ、裏紙でない場合に、当該裏紙をカール補正部９０にカール補正させずに通過させる。このため、給紙カセット４から搬送される裏紙を画像形成前にカール補正でき、レジストローラ６５Ａ，６５Ｂにおけるスキュー補正のずれ、画像形成部４０におけるプリントずれ、ジャムの発生を防ぐことができる。
【００７４】
なお、上記各実施の形態における記述は、本発明に係る好適な画像形成装置の一例であり、これに限定されるものではない。
【００７５】
例えば、上記各実施の形態及び下記構成のうち少なくとも２つを適宜組み合わせることとしてもよい。
【００７６】
また、上記各実施の形態では、画像形成装置が電子写真方式のカラープリンタであったが、これに限定されるものではない。例えば、画像形成装置として、電子写真方式の白黒のプリンタ、白黒又はカラーの複写機、複合機等の装置を用いる構成としてもよい。
【００７７】
また、上記各実施の形態では、検知部８０、カール補正部９０がレジストローラ６５Ａ，６５Ｂと給紙カセット４との間の搬送経路に設けられ、給紙カセット４から搬送される用紙が裏紙である場合に、その裏紙をカール補正する構成であったが、これに限定されるものではない。例えば、第１の実施の形態において、レジストローラ６５Ａ，６５Ｂ（又は画像形成部４０）と手差トレイ５（及び給紙カセット４）との間の搬送経路に検知部８０、カール補正部９０を設け、手差トレイ５（又は給紙カセット４）から搬送される用紙が裏紙である場合に、その裏紙をカール補正する構成としてもよい。同様に、第２の実施の形態において、レジストローラ６５Ａ，６５Ｂ（又は画像形成部４０）と手差トレイ５（及び給紙カセット４）との間にカール補正部９０を設け、手差トレイ５（又は給紙カセット４）にセットされた用紙が裏紙である設定情報が操作部２０に入力された場合に、その裏紙をカール補正する構成としてもよい。また、画像形成装置において、給紙カセットが複数設けられる構成としてもよい。
【００７８】
また、上記各実施の形態では、カール補正部９０が、カール補正時に、互いに圧接するローラ対を有する構成であったが、これに限定されるものではない。カール補正部としては、例えば、複数のローラに掛けられた無端状のベルトと、圧接ローラと、を備え、カール補正時にベルトと圧接ローラとが圧接され、そのニップ部を用紙が通過する構成としてもよい。また、ブレード等のしごき材を備え、カール補正時にしごき材で用紙をしごいてカール補正する構成としてもよい。
【００７９】
また、上記第１の実施の形態では、検知部８０が、搬送される用紙の裏面の先端から一定領域を画像読み取りし、制御部１１が、その一定領域の画像信号に基づいて搬送中の用紙が裏面か否かを判別する構成であったが、これに限定されるものではない。例えば、搬送される用紙の裏面の全面又は一部の領域を画像読み取り可能な位置に検知部８０が設けられ、制御部１１が、検知部８０により画像読み取りされた全面又は一部の領域の画像信号に基づいて搬送中の用紙が裏面か否かを判別する構成としてもよい。
【００８０】
また、上記各実施の形態における画像形成装置１，１Ａを構成する各部の細部構成及び細部動作に関して本発明の趣旨を逸脱することのない範囲で適宜変更可能である。
【図面の簡単な説明】
【００８１】
【図１】本発明に係る第１実施の形態の画像形成装置の概略構成を示す図である。
【図２】通常時のカール補正部の構成を示す図である。
【図３】カール補正時のカール補正部の構成を示す図である。
【図４】検知部の構成を示す図である。
【図５】第１の実施の形態の画像形成装置の回路構成を示すブロック図である。
【図６】第１のカール補正処理を示すフローチャートである。
【図７】本発明に係る第２の実施の形態の画像形成装置の概略構成を示す図である。
【図８】第２の実施の形態の画像形成装置の回路構成を示すブロック図である。
【図９】設定処理を示すフローチャートである。
【図１０】第２のカール補正処理を示すフローチャートである。
【符号の説明】
【００８２】
１，１Ａ  画像形成装置
２  筐体
３  排紙トレイ
４  給紙カセット
５  手差トレイ
１１  制御部
２０  操作部
３０  表示部
１２  画像メモリ
１３，１３Ａ  ＲＯＭ
１４  通信部
１５  バス
１６  フラッシュメモリ
４０  画像形成部
４０ａ  画像形成本体部
４０Ｙ  イエロー画像形成部
４０Ｍ  マゼンタ画像形成部
４０Ｃ  シアン画像形成部
４０Ｋ  ブラック画像形成部
４１  感光体ドラム
４２  帯電部
４３  露光部
４４  現像部
４５  一次転写ローラ
４６  クリーニング部
４７  中間転写ベルト
４８  二次転写駆動ローラ
４９  従動ローラ
５０  クリーニング部
４０ｂ  定着部
５１  定着ローラ
５２  圧接ローラ
６０  搬送部
６１，６４Ａ，６４Ｂ  給紙ローラ
６２Ａ，６２Ｂ，６３Ａ，６３Ｂ，６７Ａ，６７Ｂ，６８Ａ，６８Ｂ，６９Ａ，６９Ｂ，７０Ａ，７０Ｂ  搬送ローラ
６５Ａ，６５Ｂ  レジストローラ
６６  圧接ローラ
６０ａ  搬送経路
６０ｂ  反転経路
８０  検知部
８１  発光素子
８２  受光素子
９０  カール補正部
９１  ゴムローラ
９１ａ  ゴム部
９１ｂ  軸部
９２  金属ローラ
９２ａ  金属部
９２ｂ  軸部
９３  カール補正用カム
９４  バネ部
【図１】
2010001098.tif 000003
【図２】
2010001098.tif 000004
【図３】
2010001098.tif 000005
【図４】
2010001098.tif 000006
【図５】
2010001098.tif 000007
【図６】
2010001098.tif 000008
【図７】
2010001098.tif 000009
【図８】
2010001098.tif 000010
【図９】
2010001098.tif 000011
【図１０】
2010001098.tif 000012